【手続補正書】
【提出日】平成23年1月13日(2011.1.13)
【手続補正１】
【補正対象書類名】特許請求の範囲
【補正対象項目名】全文
【補正方法】変更
【補正の内容】
【特許請求の範囲】
【請求項１】
主成分として少なくとも１種の瀝青と、副成分として少なくとも１種の化学的な添加剤とを含む瀝青組成物において、
前記添加剤が、モル質量２０００ｇ／ｍｏｌ以下の有機ゲル化分子間に水素結合のネットワークを形成する有機ゲル化剤であって、この有機ゲル化剤は少なくとも１種の水素結合ドナーＤ、少なくとも１種の水素結合アクセプターＡ、および瀝青に相溶可能な少なくとも１種の相溶性部位Ｃを含み、
前記相溶性部位Ｃが、
−炭素数が少なくとも４である少なくとも１つの炭化水素の直鎖、
−原子数が３〜８である少なくとも１種の脂肪族環、または
−各環の原子数が５または６であり、脂肪族環であるか、または一部が芳香族環もしくは全体が芳香族である少なくとも１種の縮合多環、
から選択される基を、単独でまたは組み合わせて有することを特徴とする、瀝青組成物。
【請求項２】
請求項１において、ドナーＤが、窒素Ｎおよび／または酸素Ｏおよび／または硫黄Ｓから選択される、水素と結合しているかまたは水素と親和性を保持しているヘテロ原子を含むことを特徴とする、瀝青組成物。
【請求項３】
請求項１または２において、ドナーＤが、
アルコール類、チオール類、フェノール類、第一級アミン類、第二級アミン類、第四級アンモニウム類、アミド類、尿素類、ヒドラジン類、カルボン酸類、オキシム類、ヒドラゾン類、イミン類およびこれらの組合せから選択される単位を形成することを特徴とする、瀝青組成物。
【請求項４】
請求項１から３のいずれか一項において、アクセプターＡが、酸素Ｏおよび／または硫黄Ｓおよび／または窒素Ｎおよび／またはリンＰから選択され、二重結合を有するヘテロ原子を含むことを特徴とする、瀝青組成物。
【請求項５】
請求項１から４のいずれか一項において、アクセプターＡが、Ｃ＝Ｏ基、Ｓ＝Ｏ基、Ｎ＝Ｏ基またはＰ＝Ｏ基から選択される基を有し、且つその直鎖状または環状の炭化水素基に、酸素Ｏ、硫黄Ｓ、窒素ＮまたはリンＰのヘテロ原子を含むことを特徴とする、瀝青組成物。
【請求項６】
請求項１から５のいずれか一項において、アクセプターＡが、アルコール類、フェノール類、アミド類、エステル類、尿素類、ヒドラジン類、酸類、ケトン類、アルデヒド類、ラクトン類、ラクタム類、無水物類、イミド類、スルホキシド類、スルホン類、スルホン酸塩類、硫酸塩類、亜硫酸塩類、スルホン酸類、硫化物類、エーテル類、ホスフィン類、亜リン酸塩類、ホスホン酸塩類、リン酸塩類、亜硝酸塩類もしくは硝酸塩類、およびこれらの組合せから選択されることを特徴とする、瀝青組成物。
【請求項７】
請求項１から６のいずれか一項において、有機ゲル化剤が、同一の化学構造の有機ゲル化分子を含むことを特徴とする、瀝青組成物。
【請求項８】
請求項１から７のいずれか一項において、有機ゲル化剤が、一般式である下記の式（Ｉ）によって表される化合物を少なくとも１種含むことを特徴とする、瀝青組成物。
Ｒ−（ＮＨ）ｎＣＯＮＨ−（Ｘ）ｍ−ＮＨＣＯ（ＮＨ）ｎ−Ｒ’
式中、Ｒ基およびＲ’基は、同一または異なって、直鎖、分岐鎖または環鎖の、飽和または不飽和の炭化水素鎖を含み、この炭化水素鎖は、炭素数が１〜２２であり、任意で置換されていてもよく、また、ヘテロ原子および／または炭化水素環および／またはヘテロ環を任意で含んでいてもよく、
Ｘ基は、直鎖、環鎖または分岐鎖の、飽和または不飽和の炭化水素鎖を含み、この炭化水素鎖は炭素数が１〜２２であり、任意で置換されていてもよく、また、任意でヘテロ原子および／または炭化水素環および／またはヘテロ環を任意で含んでいてもよく、
ｎおよびｍは、互いに独立してそれぞれ０または１の整数である。
【請求項９】
請求項８において、ｎおよびｍが０のときに、有機ゲル化剤がヒドラジド結合を含むことを特徴とする、瀝青組成物。
【請求項１０】
請求項８において、ｎが０でｍが１のときに、有機ゲル化剤が２つのアミド結合を含むことを特徴とする、瀝青組成物。
【請求項１１】
請求項８において、ｎおよびｍが１のときに、有機ゲル化剤が２つの尿素結合を含むことを特徴とする、瀝青組成物。
【請求項１２】
請求項８から１１のいずれか一項において、Ｒ基および／またはＲ’基が、炭素数が４〜２２の脂肪族炭化水素鎖を含む基であることを特徴とする、瀝青組成物。
【請求項１３】
請求項１２において、Ｒ基および／またはＲ’基が、Ｃ４Ｈ９基、Ｃ５Ｈ１１基、Ｃ９Ｈ１９基、Ｃ１１Ｈ２３基、Ｃ１２Ｈ２５基、Ｃ１７Ｈ３５基、Ｃ１８Ｈ３７基、Ｃ２１Ｈ４３基および／またはＣ２２Ｈ４５基から選択される基であることを特徴とする、瀝青組成物。
【請求項１４】
請求項８から１３のいずれか一項において、Ｘ基が、炭素数１または２の脂肪族炭化水素鎖を含むことを特徴とする、瀝青組成物。
【請求項１５】
請求項８から１３のいずれか一項において、Ｘ基が、ＣＨ２基によって結合された炭素数６の２つの環を含み、前記環が、脂肪族環または芳香族環であることを特徴とする、瀝青組成物。
【請求項１６】
請求項１から７のいずれか一項において、有機ゲル化剤が、一般式である下記の式（ＩＩ）によって表される化合物を少なくとも１種含むことを特徴とする、瀝青組成物。
（Ｒ−ＮＨＣＯ）ｘ−Ｚ−（ＮＨＣＯ−Ｒ’）ｙ
式中、ＲおよびＲ’は、同一または異なって、直鎖、分岐鎖または環鎖の、飽和または不飽和の炭化水素鎖を含み、この炭化水素鎖は炭素数が１〜２２であり、任意で置換されていてもよく、また、ヘテロ原子および／または炭化水素環および／またはヘテロ環を任意で含んでいてもよく、
Ｚは、以下の基から選択される三官能基を表し、
【化１】
2010516851.tif 000001
ｘおよびｙは、０から３の互いに異なる整数であり、ｘ＋ｙ＝３となる。
【請求項１７】
請求項１から７のいずれか一項において、有機ゲル化剤が、少なくとも１種のソルビトール誘導体（ＩＩＩ）を含むことを特徴とする、瀝青組成物。
【請求項１８】
請求項１７において、ソルビトール誘導体が、アルデヒドとＤ−ソルビトールとの反応の生成物であることを特徴とする、瀝青組成物。
【請求項１９】
請求項１８において、有機ゲル化剤が、１，３：２，４−ジ−O−ベンジリデン−D−ソルビトールであることを特徴とする、瀝青組成物。
【請求項２０】
請求項１から７のいずれか一項において、有機ゲル化剤が、一般式である下記の式（ＩＶ）によって表される化合物を少なくとも１種含むことを特徴とする、瀝青組成物。
Ｒ’’−（ＣＯＯＨ）ｚ
式中、Ｒ’’は、炭化数が４〜６８の飽和または不飽和の、直鎖または分岐鎖であり、
ｚは、２〜４の整数である。
【請求項２１】
請求項２０において、Ｒ’’は、炭化数が４〜５４の飽和または不飽和の、直鎖または分岐鎖である瀝青組成物。
【請求項２２】
請求項２０において、Ｒ’’は、炭化数が４〜３６の飽和または不飽和の、直鎖または分岐鎖である瀝青組成物。
【請求項２３】
請求項２０において、有機ゲル化剤が、前記式（ＩＶ）においてｚ＝２およびＲ’’＝ＣｗＨ２ｗである、一般式ＨＯＯＣ−ＣｗＨ２ｗ−ＣＯＯＨの二塩基酸であり、
式中、ｗは、４〜２２の整数であることを特徴とする、瀝青組成物。
【請求項２４】
請求項２３において、ｗは、４〜１２の整数であることを特徴とする、瀝青組成物。
【請求項２５】
請求項２３において、有機ゲル化剤が、アジピン酸類、ピメリン酸類、スベリン酸類、アゼライン酸類、セバシン酸類、ウンデカン二酸類、１，２−ドデカン二酸類またはテトラデカン二酸類から選択される二塩基酸であることを特徴とする、瀝青組成物。
【請求項２６】
請求項１から７のいずれか一項において、有機ゲル化剤が、以下の一般式（Ｖ）によって表される化合物を少なくとも１種含むことを特徴とする、瀝青組成物。
【化２】
2010516851.tif 000002
式中、Ｙ基およびＹ’基は、互いに独立で、Ｈ、−（ＣＨ２）ｑ−ＣＨ３、−（ＣＨ２）ｑ−ＮＨ２、−（ＣＨ２）ｑ−ＯＨ，−（ＣＨ２）ｑ−ＣＯＯＨ、または
【化３】
2010516851.tif 000003
から選択される原子または基であり、
ｑは、２〜１８の整数であり、
ｐは、２以上の整数である。
【請求項２７】
請求項２６において、ｑは、２〜１０の整数である瀝青組成物。
【請求項２８】
請求項２６において、ｑは、２〜４の整数である瀝青組成物。
【請求項２９】
請求項２６において、ｐは、２または３の整数である瀝青組成物。
【請求項３０】
請求項２６において、有機ゲル化剤が、下記式で表されることを特徴とする、瀝青組成物。
【化４】
2010516851.tif 000004
【請求項３１】
請求項１から７のいずれか一項において、有機ゲル化剤が、下記の一般式（ＶＩ）によって表される化合物を少なくとも１種含むことを特徴とする、瀝青組成物。
Ｒ−ＮＨ−ＣＯ−ＣＯ−ＮＨ−Ｒ’
式中、ＲおよびＲ’は、同一または異なって、直鎖、分岐鎖または環鎖の、飽和または不飽和の炭化水素鎖であり、この炭化水素鎖は炭素数が１〜２２であり、任意で置換されていてもよく、また、ヘテロ原子および／または炭化水素環および／またはヘテロ環を任意で含んでいてもよい。
【請求項３２】
請求項１から６のいずれか一項において、有機ゲル化剤（ＶＩＩ）が、異なる化学構造の有機ゲル化分子を少なくとも２種含む有機ゲル化剤であり、前記有機ゲル化剤には、水素結合アクセプターＡ、水素結合ドナーＤおよび相溶化剤Ｃの３種の構成部位が全て含まれていることを特徴とする、瀝青組成物。
【請求項３３】
請求項３２において、有機ゲル化剤が、アミン誘導体と、カルボン酸誘導体とを含むことを特徴とする、瀝青組成物。
【請求項３４】
請求項３２において、有機ゲル化剤が、アミノピリミジン誘導体と、バルビツール酸誘導体とを含むことを特徴とする、瀝青組成物。
【請求項３５】
請求項３２において、有機ゲル化剤が、スルホコハク酸誘導体と、フェノール誘導体とを含むことを特徴とする、瀝青組成物。
【請求項３６】
請求項１から３５のいずれか一項において、有機ゲル化分子が、モル質量１０００ｇ／ｍｏｌ以下であることを特徴とする、瀝青組成物。
【請求項３７】
請求項１から３６のいずれか一項において、有機ゲル化剤が、瀝青に対して０．１〜５質量パーセント含まれていることを特徴とする、瀝青組成物。
【請求項３８】
請求項１から３７のいずれか一項において、瀝青が、さらに、少なくとも１種のポリマーおよび／または少なくとも１種のフラックスを含むことを特徴とする、瀝青組成物。
【請求項３９】
請求項１から３８のいずれか一項において、瀝青が、常圧蒸留残渣、真空蒸留残渣、ビスブレーキング法の残渣、ブローイング法の残渣、これらの混合物およびこれらの組合せから選択されることを特徴とする、瀝青組成物。
【請求項４０】
瀝青質バインダ、無水物系バインダ、瀝青質エマルション、ポリマー添加瀝青、またはフラックス添加瀝青を製造するための、請求項１から３９のいずれか一項に記載の瀝青組成物の使用。
【請求項４１】
表面化粧、加熱混合物、常温混合物、再生常温混合物、砂利エマルションまたは摩耗層を製造するための、骨材との混合物である、請求項４０に記載の瀝青組成物の使用。
【請求項４２】
密封膜、メンブレンまたは含浸層を製造するための、請求項４０に記載の瀝青組成物の使用。
【請求項４３】
請求項１から３９のいずれか一項に記載の瀝青組成物を製造する方法において、
有機ゲル化剤を、瀝青単体、ポリマーで改質された瀝青、ポリマーで改質されていない瀝青、瀝青質バインダの形態の瀝青に投入するか、無水物系バインダ、瀝青混合物もしくは表面化粧である状態の瀝青に投入するか、またはこれらの瀝青、バインダもしくは化粧の製造工程において投入され、１４０〜１８０℃の高温に加熱されることを特徴とする、
瀝青組成物の製造方法。
【請求項４４】
高温時での粘性を上昇させることなく、利用温度において硬質となる瀝青組成物を製造する、請求項４３に記載の瀝青組成物の製造方法。